(57)【要約】【課題】屋根上に簡単かつ強固に並設することができる新規な形状の屋上緑化用トレイを提供する。【解決手段】トレイ体１０Ａは、対向する横方向側端部において、一方の横方向側端部１０ｂでは上部が下部より突出し、他方の横方向側端部１０ｂでは下部が上部よりも突出した雌雄実構造を有し、隣接するトレイ体１０Ａとの雌雄実嵌合によって、トレイ体１０Ａを横方向に連設できるようにしている。【選択図】図１
2011007004.tif 000002
【特許請求の範囲】
【請求項１】
略方形のトレイ体よりなり、屋根上に縦横に並設される屋上緑化用トレイにおいて、
上記トレイ体は、対向する横方向側端部において、一方の横方向側端部では上部が下部より突出し、他方の横方向側端部では下部が上部よりも突出した雌雄実構造を有しており、隣接するトレイ体との雌雄実嵌合によって、トレイ体を横方向に連設できるようにしたことを特徴とする屋上緑化用トレイ。
【請求項２】
請求項１において、
上記トレイ体は、略方形に形成されたトレイパンと、略方形に形成されたトレイ支持枠部とを上下に一体形成して構成され、トレイ体の対向する横方向側端部において、一方の横方向側端部では上記トレイパンが上記トレイ支持枠部よりも突出し、他方の横方向側端部では上記トレイ支持枠体が上記トレイパンよりも突出した形状とされ、上記両横方向側端部の構造が上記雌雄実構造を構成している屋上緑化用トレイ。
【請求項３】
請求項２において、
上記トレイ体は、対向する縦方向側端部において、上記トレイパンが上記トレイ支持枠部よりも突出し、その突出部の下方に、折板屋根の山部に装着される、ボルト部を上方に突設させた連設具を配する空所を有し、さらに上記トレイパンの縦方向側端部には、内側に凹んだボルト嵌挿用切欠部が複数形成された構造とされ、
上記トレイ体を縦方向に隣接させたときに、相互に隣接する上記トレイ体の縦方向側端部間に上記ボルト嵌挿用切欠部の集合によってできる嵌挿孔に、上記ボルト部を挿通させてボルト止めして、上記トレイ体を縦方向に連設できるようにしている屋上緑化用トレイ。
【請求項４】
請求項３に記載の屋上緑化用トレイを、折板屋根の上に連設具を介して連設するようにした屋上緑化用トレイ取付構造であって、
上記連設具は、ボルト部が上方に突設された台座部と、押圧ボルトと、該押圧ボルトが挿通され、上記隣接する複数の屋上緑化用トレイを上方より押さえるトレイ押さえ板と、一端で上記ボルト部と螺合し、他端で上記押圧ボルトと螺合する構造とした長ナットとを備えてなり、
上記連設具の台座部が上記折板屋根の山部に装着固定され、該台座部より上方に突出したボルト部には上記長ナットの下部が螺着され、該長ナットに対して、上記複数のトレイ体が、側方よりボルト嵌挿用切欠部を外嵌するように配され、上記トレイ押さえ板を介して、上記押圧ボルトが上記長ナットの上部に螺着されて、上記複数のトレイ体を押圧固定する構造としたことを特徴とする屋上緑化用トレイ取付構造。
【発明の詳細な説明】
【技術分野】
【０００１】
本発明は、屋根上に縦横に並設される屋上緑化用トレイおよび屋上緑化用トレイ取付構造に関する。
【背景技術】
【０００２】
近年、ヒートアイランド対策をはじめとする都市環境の改善のために、建築物の屋上に植栽を行う屋上緑化技術が提案されているが、その中でも最近では、山部および谷部を連続形成した折板屋根の上面に縦横方向に取り付けることができる屋上緑化用トレイが提案されている（例えば、特許文献１参照）。
【０００３】
この種の屋上緑化用トレイは、例えば、縦横配列のうち縦方向において隣接するトレイ体間を、台座部を介して上下にボルト止めすることで、複数のトレイ体を屋根上で連結することができる。
【先行技術文献】
【特許文献】
【０００４】
【特許文献１】特開２００５−３１５０４６号公報
【発明の概要】
【発明が解決しようとする課題】
【０００５】
しかしながら、上記のトレイ連結構造は、縦横配列における縦方向のみの連結であり、横方向についてはトレイ体の平坦な側端面を突き合わせているだけであるため、縦横に並べた複数の屋上緑化用トレイの一体感は得られない。特に、横方向に隣り合うトレイ体の連設部が、連設作業中あるいは施工後に上方より押圧された場合や、施工後に地震等の衝撃を受けた場合には、隣接するトレイ体間で段差が生じてしまうおそれがある。
【０００６】
また、特許文献１には、方形のトレイ体の四周をボルト止めする、つまりトレイ体の縦横両方向についてトレイ体間を連結する取付方法が記載されているが、このような方法によれば、ボルト止めする箇所が多くなり、またボルト止め作業自体もしにくくなるため、トレイ体の配設作業に多大な時間を要するおそれがある。
【０００７】
本発明は、このような事情を考慮して提案されたもので、その目的は、屋根上に簡単かつ強固に並設することができる新規な形状の屋上緑化用トレイを提供することにある。また、そのような形状の複数の屋上緑化用トレイを強固に連結、固定できる屋上緑化用トレイおよびその屋上緑化用トレイ取付構造を提供することを、本発明の第２の目的としている。
【課題を解決するための手段】
【０００８】
上記目的を達成するために、請求項１に記載の屋上緑化用トレイは、略方形のトレイ体よりなり、屋根上に縦横に並設される屋上緑化用トレイにおいて、トレイ体は、対向する横方向側端部において、一方の横方向側端部では上部が下部より突出し、他方の横方向側端部では下部が上部よりも突出した雌雄実構造を有しており、隣接するトレイ体との雌雄実嵌合によって、トレイ体を横方向に連設できるようにしたことを特徴とする。
【０００９】
請求項２に記載の屋上緑化用トレイでは、トレイ体が、略方形に形成されたトレイパンと、略方形に形成されたトレイ支持枠部とを上下に一体形成して構成され、トレイ体の対向する横方向側端部において、一方の横方向側端部ではトレイパンがトレイ支持枠部よりも突出し、他方の横方向側端部ではトレイ支持枠体がトレイパンよりも突出した形状とされ、両横方向側端部の構造が雌雄実構造を構成している。
【００１０】
請求項３に記載の屋上緑化用トレイでは、トレイ体が、対向する縦方向側端部において、トレイパンがトレイ支持枠部よりも突出し、その突出部の下方に、折板屋根の山部に装着される、ボルト部を上方に突設させた連設具を配する空所を有し、さらにトレイパンの縦方向側端部には、内側に凹んだボルト嵌挿用切欠部が複数形成された構造とされ、トレイ体を縦方向に隣接させたときに、相互に隣接するトレイ体の縦方向側端部間にボルト嵌挿用切欠部の集合によってできる嵌挿孔に、ボルト部を挿通させてボルト止めして、トレイ体を縦方向に連設できるようにしている。
【００１１】
請求項４に記載の屋上緑化用トレイ取付構造は、請求項３に記載の屋上緑化用トレイを、折板屋根の上に連設具を介して連設するようにした屋上緑化用トレイ取付構造であって、連設具は、ボルト部が上方に突設された台座部と、押圧ボルトと、押圧ボルトが挿通され、隣接する複数の屋上緑化用トレイを上方より押さえるトレイ押さえ板と、一端で上記ボルト部と螺合し、他端で上記押圧ボルトと螺合する構造とした長ナットとを備えてなり、連設具の台座部が折板屋根の山部に装着固定され、台座部より上方に突出したボルト部には長ナットの下部が螺着され、長ナットに対して、複数のトレイ体が、側方よりボルト嵌挿用切欠部を外嵌するように配され、トレイ押さえ板を介して、押圧ボルトが長ナットの上部に螺着されて、複数のトレイ体を押圧固定する構造としたことを特徴とする。
【発明の効果】
【００１２】
請求項１に記載の屋上緑化用トレイによれば、トレイ体の横方向側端部において、一方では上部が下部より突出し、他方では下部が上部よりも突出した雌雄実構造を有し、隣接するトレイ体と雌雄実嵌合できるようにしているので、施工後に隣接するトレイ体間に段差が生じることはなく、トレイ体間に強固な結合力が生まれ、縦横に並べた複数の屋上緑化用トレイの一体感を形成させることができる。また、簡易な実構造なので配列作業も簡便に行える。
【００１３】
請求項２に記載の屋上緑化用トレイによれば、トレイ体の一方の横方向側端部ではトレイ体の上部に配されたトレイパンを突出させ、他方の横方向側端部ではトレイ体の下部に配されたトレイ支持枠体を突出させて雌雄実構造を構成しているので、トレイパンとトレイ支持枠体を横方向にずらすようにして成形することができる。トレイ体は一体成型でなくてもよく、個別に成形したトレイパンとトレイ支持枠体とを、相互に横方向にずらして固着させて形成することもできる。
【００１４】
請求項３に記載の屋上緑化用トレイによれば、トレイ体を縦方向に隣接させたときに、相互に隣接するトレイ体の縦方向側端部間にボルト嵌挿用切欠部の集合によってできる嵌挿孔に、ボルト部を挿通させてボルト止めして、トレイ体を縦方向に連設できるようにしているので、並設される複数の屋上緑化用トレイを連結、固定することができる。さらに、横方向側端部の雌雄実構造とあいまって、縦横に並べた屋上緑化用トレイを、全体として強固にすることができる。
【００１５】
請求項４に記載の屋上緑化用トレイ取付構造によれば、相互に隣接するトレイ体を連設する連設具が、下部で台座部のボルト部と螺合し、上部で押圧ボルトと螺合する構造とした長ナットを備えた構成であるため、台座部のボルト部が屋上緑化用トレイの上面側に突き出ることなく、隣接する屋上緑化用トレイを固定させることができる。したがって、作業中の安全を確保でき、施工後も美観を確保できる。
【図面の簡単な説明】
【００１６】
【図１】本発明の屋上緑化用トレイの実施形態の説明図で、（ａ）〜（ｃ）は屋上緑化用トレイの平面図、正面図、側面図である。
【図２】同屋上緑化用トレイの斜視図である。
【図３】同屋上緑化用トレイの裏面斜視図である。
【図４】同屋上緑化用トレイの屋根上への取付例を示した斜視図である。
【図５】同屋上緑化用トレイの横方向の連設構造を示した概略断面図である。
【図６】連設施工途中における同屋上緑化用トレイの概略平面図である。
【図７】連設作業後における同屋上緑化用トレイの概略平面図である。
【図８】同実施形態で使用される連設具の台座部の取付構造を示す分解斜視図である。
【図９】同連設具の取付前の状態を示した、図４における矢印Ａ方向の要部一部断面矢視図である。
【図１０】同屋上緑化用トレイの取付状態を示した、図４における矢印Ａ方向の横方向のトレイ体連設部における一部断面矢視図である。
【図１１】同屋上緑化用トレイの取付状態を示した、図４における矢印Ａ方向の一部断面矢視図である。
【図１２】同屋上緑化用トレイの取付状態を示した、図４における矢印Ｂ方向の縦方向側端部における一部断面矢視図である。
【発明を実施するための形態】
【００１７】
以下に、本発明の実施の形態について、添付図面を参照しながら説明する。
【００１８】
図１は本発明の屋上緑化用トレイの一実施形態の説明図で、図１（ａ）〜（ｃ）は屋上緑化用トレイの平面図、正面図、側面図である。図２は同屋上緑化用トレイの斜視図であり、図３は同屋上緑化用トレイの裏面斜視図である。図４は、同屋上緑化用トレイの屋根上への取付例を示した斜視図である。図５は、同屋上緑化用トレイの横方向の連設構造を示した概略断面図である。
【００１９】
また、図６は連設施工途中における同屋上緑化用トレイの概略平面図、図７は連設作業後における同屋上緑化用トレイの概略平面図である。
【００２０】
この屋上緑化用トレイ１０は、折板屋根１の上面に、連設具２０を介して並設されるものである。また、この折板屋根１は、山部２と谷部３が交互に連続する屋根であって、複数の折板屋根材を側端部の山部２でハゼ接合してなるものである。屋上緑化用トレイ１０は、このハゼ部２ａに直接載置される。
【００２１】
屋上緑化用トレイ１０は、略方形に形成された、植栽を行うためのトレイパン１１と、略方形に形成された支持部としてのトレイ支持枠部１２とを上下に一体形成したトレイ体１０Ａよりなる。トレイパン１１は、外周壁１１ａと、多数の水抜き孔１１ｃが形成された底部１１ｂとを備え、一方、トレイ支持枠部１２は、上記底部１１ｂの外周より下方に延びた外周支持壁１２ａと、長手方向の中央で短手方向に架け渡された橋架支持壁１２ｂとを備えている。
【００２２】
トレイパン１１とトレイ支持枠部１２とは長手方向の辺縁長を略同寸法としているが、それらは対向する長手方向の両側端部（横方向側端部１０ｂ）において、一方の横方向側端部１０ｂではトレイパン１１がトレイ支持枠部１２よりも突出し、他方の横方向側端部１０ｂではトレイ支持枠部１２がトレイパン１１よりも突出している（図１（ａ）、（ｂ）参照）。
【００２３】
つまり、屋上緑化用トレイ１０（トレイ体１０Ａ）は、図１（ｂ）の正面図における左側に示した横方向側端部１０ｂでは上部に配されたトレイパン１１が突出し、同図の右側に示した横方向側端部１０ｂでは下部に配されたトレイ支持枠部１２が突出している。
【００２４】
これらの両横方向側端部１０ｂの突出構造および突出部１１ｆ、１２ｃによってできる凹部構造が、トレイ体１０Ａを長手方向に連設するうえでの雌雄実構造を構成している。
【００２５】
すなわち、図５に示すように、トレイ体１０Ａの一方の横方向側端部１０ｂでは、トレイ体１０Ａの下部（トレイ支持枠部１２）の突出部１２ｃつまり雄実部が、隣接するトレイ体１０Ａの上部（トレイパン１１）の突出部１１ｆの下方に形成された凹部１２ｄつまり雌実部に嵌入し、他方の横方向側端部１０ｂでは、トレイ体１０Ａの下部（トレイ支持枠部１２）の突出部１２ｃの上方に形成された凹部１１ｇつまり雌実部に、隣接するトレイ体１０Ａの上部（トレイパン１１）の突出部１１ｆが嵌入して、トレイ体１０Ａは雌雄実嵌合する。
【００２６】
なお、本実施形態では、トレイ体１０Ａの長手方向の相互に対向する側端部に実構造を形成したものを例示しているが、実構造は長手方向、短手方向のいずれか一方向の両側端部に形成すればよい。また、実構造を有した側端部を、折板屋根１の山部２、谷部３の形成方向に沿って配置してもよいし、山部２、谷部３に直交する方向に沿って配置してもよい。
【００２７】
本明細書および特許請求の範囲では、トレイ体１０Ａの雌雄実構造を有した側端部の方向（本実施形態ではトレイ体１０Ａの長手方向）を「横方向」と定義し、それに対して直交する方向（本実施形態ではトレイ体１０Ａの短手方向）を「縦方向」と定義している。
【００２８】
このような雌雄実構造を有した屋上緑化用トレイ１０によれば、隣接するトレイ体１０Ａと雌雄実嵌合でき、そのため、施工後に隣接するトレイ体１０Ａ間に段差が生じることはなく、トレイ体１０Ａ間に強固な結合力が生まれ、縦横に並べた複数の屋上緑化用トレイ１０の一体感を形成させることができる。また、簡易な実構造なので配列作業も簡便に行える。
【００２９】
また、本実施形態では、トレイ体１０Ａの一方の横方向側端部１０ｂではトレイ体１０Ａの上部に配されたトレイパン１１を突出させ、他方の横方向側端部１０ｂではトレイ体１０Ａの下部に配されたトレイ支持枠体１２を突出させて雌雄実構造を構成しているので、トレイパン１１とトレイ支持枠体１２を横方向にずらすようにして成形することでトレイ体１０Ａを形成できる。この場合、トレイ体１０Ａは一体成型でなくてもよく、個別に成形したトレイパン１１とトレイ支持枠体１２とを、相互に横方向にずらして固着させて形成することもできる。
【００３０】
また、トレイ体１０Ａの短手方向においては、トレイパン１１がトレイ支持枠部１２よりもやや長く形成され、両縦方向側端部１０ａでは、トレイパン１１がトレイ支持枠部１２よりも突出している。この突出部１１ｅの下方には、屋上緑化用トレイ１０を連設するための連設具２０の台座部２１を収容する台座部収容空所１３が形成されている（図１（ｃ）参照）。
【００３１】
トレイ体１０Ａには、このような台座部収容空所１３が形成されているので、複数の屋上緑化用トレイ１０を連設するうえで連設具２０の台座部２１がじゃまになることがなく、平面視で、縦方向のトレイ体間にほとんど隙間のない状態でトレイ体１０Ａを並べることができる（図６および図７参照）。
【００３２】
また、縦方向側端部１０ａには、内側に凹んだボルト嵌挿用切欠部１１ｄが複数形成されている。このボルト嵌挿用切欠部１１ｄは、屋上緑化用トレイ１０を縦方向側端部１０ａ同士で突き合わせることで連成して、連設具２０の構成部材である長ナット２３を上下に配するためのボルト嵌挿空間１４が形成される。
【００３３】
一方、連設具２０は、ボルト部２２が上方に突設された台座部２１と、押圧ボルト２５と、山座金２６と、押圧ボルト２５が挿通される挿通孔２４ａを有した、短手方向に隣り合う２つの屋上緑化用トレイ１０を上方より押さえるためのトレイ押さえ板２４と、一端（下部）で台座部２１のボルト部２２と螺合し、他端（上部）で押圧ボルト２５と螺合する構造とした長ナット２３とを備えている。なお、作業効率上、ボルト部２２を台座部２１に固着させておくことが望ましいが、着脱自在としてもよく、その場合には、台座部２１より突出された状態で長ナット２３を螺着させておくほうが作業を効率的に行える。
【００３４】
図６および図７に示すように、連設具２０の長ナット２３は、台座部２１のボルト部２２および押圧ボルト２５が上下より螺合した状態で、複数の屋上緑化用トレイ１０のボルト嵌挿用切欠部１１ｄが集合してできるボルト嵌挿空間１４に配される。
【００３５】
なお、ボルト嵌挿空間１４は、屋上緑化用トレイ１０の角部のボルト嵌挿用切欠部１１ｄが４つ集合することでも形成され、そのボルト嵌挿空間１４にも同様に連設具２０の長ナット２３が配される。
【００３６】
このような長ナット２３は、ボルト孔２３ａの両端に上記２種のボルト（ボルト部２２と押圧ボルト２５）を螺合させるために、ボルト孔２３ａの少なくとも両端部には上記２種のボルトに合致したネジ溝が切られている。なお、同径で、かつネジ溝が同ピッチのボルト部２２および押圧ボルト２５に対応した、ボルト孔２３ａの全長にわたって同ピッチのネジ溝が切られている長ナット２３を使用することが望ましい。
【００３７】
また、トレイ押さえ板２４は、連設される２枚または４枚の屋上緑化用トレイ１０を、上面を同一高さにして、上方より均等に押さえられるように、円形等の点対称または線対称形状とすることが望ましい。本実施形態では、原材料の削減のために、４枚の花弁片を有した花冠形状のものを使用している。
【００３８】
連設具２０は、台座部２１が折板屋根１の山部２に形成されたハゼ部２ａに装着固定され、台座部２１より上方に突出したボルト部２２には長ナット２３の下部が螺着され、その長ナット２３は、複数の屋上緑化用トレイ１０のボルト嵌挿用切欠部１１ｄによって形成されるボルト嵌挿空間１４に嵌挿され、さらにトレイ押さえ板２４と山座金２６を介して、押圧ボルト２５が長ナット２３の上部に螺着されて、隣り合う複数の屋上緑化用トレイ１０を同時に上方より押圧固定する構造となっている。
【００３９】
このように、連設具２０は長ナット２３を含んだ構成であり、長ナット２３に上下より別々のボルト（一方はボルト部２２、他方は押圧ボルト２５）を螺合させて、隣り合う屋上緑化用トレイ１０を固定する構造となっているため、施工後には屋上緑化用トレイ１０の上面側に押圧ボルト２５の頭部２５ａが突出するだけで、台座部２１より突出したボルト部２２の軸部先端が屋上緑化用トレイ１０の上面側に突き出ることはない。また、ボルト部２２が突き出ないので、作業中の安全を確保でき、施工後においても美観を確保できる。
【００４０】
以下には、本発明の要部の詳細構造について説明する。
【００４１】
図８は、連設具２０の台座部２１の折板屋根１への取付構造を示す斜視図である。図９は、連設具２０の取付前の状態を示した、図１における矢印Ａ方向の要部一部断面矢視図である。図１０は、屋上緑化用トレイ１０の取付状態を示した、図１における矢印Ａ方向の横方向のトレイ体連設部における一部断面矢視図である。図１１は、屋上緑化用トレイ１０の取付状態を示した、図１における矢印Ａ方向の一部断面矢視図である。図１２は、屋上緑化用トレイ１０の取付状態を示した、図１における矢印Ｂ方向の縦方向側端部１０ａにおける一部断面矢視図である。
【００４２】
連設具２０の台座部２１は、ボルト部２２が突設した上板２１ａと、その両端から下方に延びる両脚片２１ｂと、両脚片２１ｂのそれぞれの下端から対向するように折曲延設された両内向鍔片２１ｃとをすくなくとも備えてなり、両脚片２１ｂを緊締して、両内向鍔片２１ｃを相互に近接させて、ハゼ部２ａに挟着させる構造となっている。また両脚片２１ｂの緊締は、対向する両脚片２１ｂに開設された軸孔２１ｂａに貫通された緊締用ボルト２１ｄと、緊締用ナット２１ｅとの螺合によってなされる。図中の２１ｃａは、内向鍔片２１ｃの強度を上げるためのリブである。
【００４３】
このようにして山部２に装着された連設具２０の台座部２１に対して、屋上緑化用トレイ１０の縦方向側端部１０ａに形成された台座部収容空所１３に台座部２１が収容され、かつ台座部２１より突出したボルト部２２がトレイパン１１の側端に形成されたボルト嵌挿用切欠部１１ｄに配されるように、屋上緑化用トレイ１０は屋根上に載置される。
【００４４】
連設具２０の長ナット２３、トレイ押さえ板２４および押圧ボルト２５は、以上のようにして折板屋根１の山部２に取り付けた台座部２１のボルト部２２に対して装着できるようになっている。
【００４５】
すなわち、連設具２０による取付構造は、図９〜図１２に示すように、台座部２１より上方に突出したボルト部２２には長ナット２３の下部が螺着され、その長ナット２３に対して、複数の屋上緑化用トレイ１０が、側方よりボルト嵌挿用切欠部１１ｄを外嵌するように配され、さらにトレイ押さえ板２４と山座金２６を介して、押圧ボルト２５が長ナット２３の上部に螺着されて、複数の屋上緑化用トレイ１０を押圧して固定する構造となっている。
【００４６】
なお、施工手順としては、ボルト部２２に長ナット２３を螺合させた状態の連設具２０の台座部２１をハゼ部２ａに装着させておき、その後、複数の屋上緑化用トレイ１０を台座部２１との位置合わせをしながら設置することが望ましい。
【００４７】
また、押圧ボルト２５とトレイ押さえ板２４で屋上緑化用トレイ１０を確実に押圧することができるように、長ナット２３は、台座部２１のボルト部２２に螺着した状態では、折板屋根１のハゼ部２ａに載せ置いた屋上緑化用トレイ１０の上端よりも低い位置に配される程度の長さとし、かつ、押圧ボルト２５は、トレイ押さえ板２４と山座金２６を介して長ナット２３の上部に螺合できる程度の長さとすることが望ましい。
【００４８】
長ナット２３は、その両端に２つのボルトが螺合することから、ボルトの延長部材として位置付けられ、そのため、使用する屋上緑化用トレイ１０の高さに合わせて適切な長さのものを選択的に使用することができる。
【００４９】
したがって、以上に示した連設具２０の構成によれば、種々の長さの長ナット２３を用意することで、ボルト部２２、押圧ボルト２５の仕様を変更することなく、種々の高さの屋上緑化用トレイ１０に使用することができる。
【００５０】
また、トレイ体を縦方向に連設できるようにしているので、並設される複数の屋上緑化用トレイを連結、固定することができる。さらに、横方向側端部の雌雄実構造とあいまって、縦横に並べた屋上緑化用トレイを、全体として強固な構造にすることができる。
【００５１】
また、相互に隣接するトレイ体１０Ａを連設する連設具２０が、下部で台座部２１のボルト部２２と螺合し、上部で押圧ボルト２５と螺合する構造とした長ナット２３を備えた構成であるため、台座部２１のボルト部２２が屋上緑化用トレイ１０の上面側に突き出ることなく、隣接する屋上緑化用トレイ１０を固定させることができる。したがって、作業中の安全を確保でき、施工後も美観を確保できる。
【００５２】
以上の実施形態では、折板屋根１の接合が側端部の山部２においてハゼ式接合で行われるものを例示したが、本発明の屋上緑化用トレイ取付構造は、折板屋根１の接合が側端部の山部２において重合接合によってなされるものにも適用できる。
【００５３】
重合接合による折板屋根の場合、その重合接合部は軸部を上方に向けた接合用ボルトによって固定されるが、上記実施形態で使用した連設具２０（図８参照）と同構造のものを使用して、その台座部を接合用ボルトの軸部に装着させることで、上記実施形態と同一の屋上緑化用トレイ取付構造を形成することができる。なお、台座部２１の内向鍔片２１ｃ（図８参照）を接合用ボルトの軸部に確実に挟着させるために、内向鍔片２１ｃの中央部にボルト挟み込み用の切欠きを形成しておくことが望ましい。
【００５４】
また、以上の実施形態では、トレイ体の実構造として、トレイパン１１のみによる突出部１１ｆで上部の雄実部を形成し、トレイ支持枠部１２のみによる突出部１２で下部の雄実部を形成した例を示したが、トレイパン１１またはトレイ支持枠部１２の横方向側端部１０ｂを階段状に形成して雌雄実構造を構成してもよい。この種の構成は、トレイパンがトレイ支持枠部の高さにくらべて浅いもの、トレイパンがトレイ支持枠部の高さにくらべて深いもの、またはトレイ支持枠部を有さないものに適している。
【符号の説明】
【００５５】
１      折板屋根
２      山部
２ａ      ハゼ部
３      谷部
１０      屋上緑化用トレイ
１０Ａ      トレイ体
１０ａ      縦方向側端部
１０ｂ      横方向側端部
１１      トレイパン
１１ａ      外周壁
１１ｂ      底部
１１ｃ      水抜き孔
１１ｄ      ボルト嵌挿用切欠部
１１ｅ      突出部
１１ｆ      （横方向側端部における）上部の突出部（雄実部）
１１ｇ      上部の凹部（雌実部）
１２      トレイ支持枠部
１２ａ      外周支持壁
１２ｂ      橋架支持壁
１２ｃ      （横方向側端部における）下部の突出部（雄実部）
１２ｄ      下部の凹部（雌実部）
１３      台座部収容空所
１４      ボルト嵌挿空間
２０      連設具
２１      台座部
２１ａ      上板
２１ｂ      脚片
２１ｃ      内向鍔片
２２      ボルト部
２３      長ナット
２３ａ      ボルト孔
２４      トレイ押さえ板
２５      押圧ボルト
２６      山座金
【図１】
2011007004.tif 000003
【図２】
2011007004.tif 000004
【図３】
2011007004.tif 000005
【図４】
2011007004.tif 000006
【図５】
2011007004.tif 000007
【図６】
2011007004.tif 000008
【図７】
2011007004.tif 000009
【図８】
2011007004.tif 000010
【図９】
2011007004.tif 000011
【図１０】
2011007004.tif 000012
【図１１】
2011007004.tif 000013
【図１２】
2011007004.tif 000014
【手続補正書】
【提出日】平成22年5月18日(2010.5.18)
【手続補正１】
【補正対象書類名】明細書
【補正対象項目名】００５４
【補正方法】変更
【補正の内容】
【００５４】
また、以上の実施形態では、トレイ体の実構造として、トレイパン１１のみによる突出部１１ｆで上部の雄実部を形成し、トレイ支持枠部１２のみによる突出部で下部の雄実部を形成した例を示したが、トレイパン１１またはトレイ支持枠部１２の横方向側端部１０ｂを階段状に形成して雌雄実構造を構成してもよい。この種の構成は、トレイパンがトレイ支持枠部の高さにくらべて浅いもの、トレイパンがトレイ支持枠部の高さにくらべて深いもの、またはトレイ支持枠部を有さないものに適している。